(57)【要約】【課題】電気機器用梱包箱において、垂直方向の耐圧強度を下げることなく、側壁を容易にミシン目に沿って破断して窓部を開口し得るようにする。【解決手段】半円部１４を連続的に切断すると共に、底辺１１における半円部１４の側の第１端部１１ａを半円部１４から連続的に切断する。コーナー部１３を連続的に切断すると共に、底辺１１におけるコーナー部１３の側の第２端部１１ｂをコーナー部１３から連続的に切断し、直交辺１２におけるコーナー部１３の側の第３端部１２ｃをコーナー部１３から連続的に切断する。【選択図】図２
0003127312.tif 000002
【実用新案登録請求の範囲】
【請求項１】
互いに対向して配置された１対の長手側壁と、この長手側壁に直交する互いに対向して配置された１対の短手側壁と、前記長手側壁の上端より内方に折り曲げられる１対の天面長手フラップと、前記短手側壁の上端より内方に折り曲げられる１対の天面短手フラップと、前記長手側壁の下端より内方に折り曲げられる１対の底面長手フラップと、前記短手側壁の下端より内方に折り曲げられる１対の底面短手フラップとを備え、
前記１対の長手側壁のうちいずれか一方の中央上部には、電気機器の流通過程において各仕向地毎に必要な付属品を補充し得るように、開閉自在の窓部を開口するためのミシン目が形成され、
前記ミシン目は、前記長手側壁の上端縁から所定の距離を隔てて平行に直線状に形成された底辺と、この底辺の端部近傍から該長手側壁の上端縁に亘って該底辺に直交するように直線状に形成された直交辺と、前記底辺と直交辺との交差部近傍において該底辺及び直交辺と接するように円弧状に形成されたコーナー部と、底辺の中央部において、上方に迫り出すように半円状に形成された半円部とを有する電気機器用の梱包箱において、
前記半円部の頂上近傍には非切断部が設けられ、
前記半円部における該頂上近傍の非切断部以外の部分と、前記底辺における前記半円部側の第１端部とは、連続的に切断され、
前記コーナー部と、前記底辺における前記コーナー部側の第２端部と、前記直交辺における前記コーナー部側の第３端部とは、連続的に切断され、
前記半円部における該頂上近傍の非切断部以外の部分と、前記底辺における前記半円部側の第３端部とは、連続的に切断され、
前記直交辺における第３端部は、前記底辺における第１端部及び第２端部よりも長い区間に亘って、かつ前記半円部の頂点以上の高さまで連続的に切断され、
耐圧強度を下げることなく、前記ミシン目に沿って前記非切断部を破断して、窓部を開口できるようにしたことを特徴とする電気機器用の梱包箱。
【請求項２】
互いに対向して配置された２対の側壁と、各側壁の上下端より内方に折り曲げられるフラップとを備え、
前記側壁には、開閉自在の窓部を開口するためのミシン目が形成され、
前記ミシン目は、前記側壁の上端縁から所定の距離を隔てて平行に直線状に形成された底辺と、この底辺の両端から該側壁の上端縁に亘って該底辺に直交するように直線状に形成された直交辺と、前記底辺と直交辺との交差部近傍において該底辺及び直交辺と接するように円弧状に形成されたコーナー部とを有する電気機器用の梱包箱において、
前記コーナー部と、前記直交辺における前記コーナー部側の端部と、前記底辺における前記コーナー部側の端部とは、連続的に切断されていることを特徴とする電気機器用の梱包箱。
【請求項３】
前記底辺の中央部は、上方に迫り出すように半円状に形成された半円部を有し、
前記半円部と、前記底辺における前記半円部側の端部とは、連続的に切断されていることを特徴とする請求項２に記載の電気機器用の梱包箱。
【考案の詳細な説明】
【技術分野】
【０００１】
本考案は、電気機器に用いられる梱包箱に関し、特に世界各地で仕様を変更して販売される電気機器の梱包に好適な梱包箱に関するものである。
【背景技術】
【０００２】
世界各地で販売される電気機器は、各仕向け地の商用電源の規格に対応できるように複数種類の電源コードを付属させる必要がある。このように複数種類の電源コードを機器に付属させた場合、地域によっては不要な電源コードが付属されることになり、機器のコストの高騰を招くだけでなく、廃棄物の増大をも招いている。そこで、各仕向け地内の流通過程において、その仕向け地に不要な電源コードを取り出したり、必要な電源コードを挿入し得るように、側面に開閉自在な窓部が形成された梱包箱が使用されている。
【０００３】
電気機器の梱包には、通常、軽量で衝撃吸収性に優れた段ボールが使用されている。図６は、従来の梱包箱の側面に窓部を形成するためのミシン目の形態を示している。窓部を形成するためのミシン目１１０は、梱包箱の長手側面の中央上部において、略矩形状に形成されている。ミシン目１１０の底辺１１１は、梱包箱の側壁の上端縁と平行に形成され、その両端から上端縁に亘って底辺１１１に直交するように直交辺１１２が形成されている。底辺１１１と直交辺１１２との間のコーナー部１１３は、底辺１１１と直交辺１１２にかけてミシン目１１０を円滑に破断し得るように、円弧状に形成されている。また、底辺１１１の中央部には、側壁本体部から窓部を容易に分離・開口できるように、半円状の半円部１１４が形成されている。窓部を形成するためのミシン目１１０は、一般的なミシン目と同様に、例えば、１２ｍｍの切断部と３ｍｍの非切断部とが規則的に交互に繰り返すように形成されている。
【０００４】
このような梱包箱とは別の技術として、特許文献１には、ミシン目切断部とジッパー切断部が、箱上面に形成された写真用フィルムカートリッジ包装用小箱が示されている。また、特許文献２には、ミシン目に沿って開口された上蓋の内側に内蓋を形成しも埃等の侵入を防止する包装容器が示されている。また、特許文献３には、上蓋と側壁との境界にミシン目状の破断部を設けた包装用容器が示されている。また、特許文献４には、外側壁に形成されたミシン目に沿って開封し、外側壁の挿入辺を内側壁に形成された切れ目に挿入する包装用箱が示されている。
【特許文献１】特開平９−４３７８０号公報
【特許文献２】登録実用新案３０５８４０８号公報
【特許文献３】特開２００２−１２０８２８号公報
【特許文献４】登録実用新案３０６９９５０号公報
【考案の開示】
【考案が解決しようとする課題】
【０００５】
しかしながら、上述したようなミシン目１１０に沿って窓部を開口する場合、コーナー部１１３等の非切断部においてミシン目１１０に沿って破断することができず、亀裂１１５で示すように、ミシン目以外の部分を損傷することがあり、電気機器の名称や写真等がプリントされた梱包箱の外観を著しく損なう虞がある。そこで、従来の梱包箱においては、コーナー部１１３等においてもミシン目１１０に沿って破断し得るように、段ボールの板厚を薄くする等の手法が検討されていた。ところが、このような手法は、梱包箱の強度が低下を招き、特に垂直方向の耐圧強度が低下するため好ましくない。また、上記いずれの特許文献に示された技術をもってしても上記課題を解決することができない。
【０００６】
本考案は、上記課題を解決するためになされたものであり、垂直方向の耐圧強度を下げることなく、側壁をミシン目に沿って容易に破断して窓部を開口し得るようにして、外観品質の低下を抑制することができる電気機器用梱包箱を提供することを目的とする。
【課題を解決するための手段】
【０００７】
上記目的を達成するために請求項１の考案は、
互いに対向して配置された１対の長手側壁と、この長手側壁に直交する互いに対向して配置された１対の短手側壁と、前記長手側壁の上端より内方に折り曲げられる１対の天面長手フラップと、前記短手側壁の上端より内方に折り曲げられる１対の天面短手フラップと、前記長手側壁の下端より内方に折り曲げられる１対の底面長手フラップと、前記短手側壁の下端より内方に折り曲げられる１対の底面短手フラップとを備え、
前記１対の長手側壁のうちいずれか一方の中央上部には、電気機器の流通過程において各仕向地毎に必要な付属品を補充し得るように、開閉自在の窓部を開口するためのミシン目が形成され、
前記ミシン目は、前記長手側壁の上端縁から所定の距離を隔てて平行に直線状に形成された底辺と、この底辺の端部近傍から該長手側壁の上端縁に亘って該底辺に直交するように直線状に形成された直交辺と、前記底辺と直交辺との交差部近傍において該底辺及び直交辺と接するように円弧状に形成されたコーナー部と、底辺の中央部において、上方に迫り出すように半円状に形成された半円部とを有する電気機器用の梱包箱において、
前記半円部の頂上近傍には非切断部が設けられ、
前記半円部における該頂上近傍の非切断部以外の部分と、前記底辺における前記半円部側の第１端部とは、連続的に切断され、
前記コーナー部と、前記底辺における前記コーナー部側の第２端部と、前記直交辺における前記コーナー部側の第３端部とは、連続的に切断され、
前記半円部における該頂上近傍の非切断部以外の部分と、前記底辺における前記半円部側の第３端部とは、連続的に切断され、
前記直交辺における第３端部は、前記底辺における第１端部及び第２端部よりも長い区間に亘って、かつ前記半円部の頂点以上の高さまで連続的に切断され、
耐圧強度を下げることなく、前記ミシン目に沿って前記非切断部を破断して、窓部を開口できるようにしたものである。
【０００８】
請求項２の考案は、
互いに対向して配置された２対の側壁と、各側壁の上下端より内方に折り曲げられるフラップとを備え、
前記側壁には、開閉自在の窓部を開口するためのミシン目が形成され、
前記ミシン目は、前記側壁の上端縁から所定の距離を隔てて平行に直線状に形成された底辺と、この底辺の両端から該側壁の上端縁に亘って該底辺に直交するように直線状に形成された直交辺と、前記底辺と直交辺との交差部近傍において該底辺及び直交辺と接するように円弧状に形成されたコーナー部とを有する電気機器用の梱包箱において、
前記コーナー部と、前記直交辺における前記コーナー部側の端部と、前記底辺における前記コーナー部側の端部とは、連続的に切断されているものである。
【０００９】
請求項３の考案は、請求項２に記載の梱包箱において、
前記底辺の中央部は、上方に迫り出すように半円状に形成された半円部を有し、
前記半円部と、前記底辺における前記半円部側の端部とは、連続的に切断されているものである。
【考案の効果】
【００１０】
請求項１の考案によれば、長手側壁に窓部を開口するにあたってミシン目を半円部から底辺、コーナー部、直交辺に順次破断して際に、直線的に破断されない部分、すなわち破断方向が転換される部分（具体的には、半円部から底辺の第１端部に至る部分、及び底辺の第２端部からコーナー部を経て直交辺の第３端部に至る部分）が連続的に切断されているので、作業者がミシン目に沿って力をかけやすくなる。これにより、段ボールの板厚を薄くする等して耐圧強度を下げることなく、側壁を容易にミシン目に沿って破断して窓部を開口することができ、梱包箱の外観品質の低下を抑制することが可能となる。また、底辺の中央部において上方に迫り出す半円部が形成されているので、この半円部の内側を梱包箱の内方に押し込むと共に、その上部に位置する窓部の扉となる部分を外方に引き上げることにより、容易に窓部を開口でき、作業効率を高めることができる。また、一般に、電気機器を収容した状態の梱包箱は、電気機器の流通過程において、複数段に積み重ねた状態で保管されるため、最下段の梱包箱には、垂直方向に大きな荷重がかけられることとなり、梱包箱には、特に相応の垂直方向の耐圧強度が要求されている。本考案では、半円部の頂上近傍には非切断部が設けられているので、作業者がミシン目を破断する前段階においては半円部が完全に切断されておらず、梱包箱の垂直方向の耐圧強度を十分に確保することができる。また、直交辺における第３端部は、底辺における第１端部及び第２端部よりも長い区間に亘って、かつ半円部の頂点よりも上方の高さまで連続的に切断されているので、直交辺のミシン目の非切断部を破断する際、力を該非切断部に集中してかけやすくなり、ミシン目に沿って、より一層容易に破断できるようになる。
【００１１】
請求項２の考案によれば、長手側壁に窓部を開口するにあたってミシン目を半円部から底辺、コーナー部、直交辺に順次破断して際に、直線的に破断されない部分、すなわち破断方向が転換される部分（具体的には、コーナー部及びその近傍）が連続的に切断されているので、作業者がミシン目に沿って力をかけやすくなる。これにより、段ボールの板厚を薄くする等して耐圧強度を下げることなく、側壁を容易にミシン目に沿って破断して窓部を開口することができ、梱包箱の外観品質の低下を抑制することが可能となる。
【００１２】
請求項３の考案によれば、底辺の中央部において上方に迫り出す半円部が形成されているので、この半円部の内側を梱包箱の内方に押し込むと共に、その上部に位置する窓部の扉を外方に引き上げることにより、容易に窓部を開口でき、作業効率を高めることができる。また半円部及びその近傍が連続的に切断されているので、作業者が半円部から底辺に亘って、窓部をミシン目に沿って容易に開口できるようになる。
【考案を実施するための最良の形態】
【００１３】
本考案を実施するための最良の形態による梱包箱について図面を参照して説明する。図１はレーザビームプリンタ等の電気機器を梱包するための梱包箱を示している。梱包箱１は、段ボールによって成り、互いに対向して配置された１対の長手側壁２と、長手側壁２に直交する互いに対向して配置された１対の短手側壁３と、長手側壁２の上端より内方に折り曲げられる１対の天面長手フラップ４と、短手側壁３の上端より内方に折り曲げられる１対の天面短手フラップ５と、長手側壁２の下端より内方に折り曲げられる１対の底面長手フラップ６と、短手側壁３の下端より内方に折り曲げられる１対の底面短手フラップ７等によって構成されている。
【００１４】
１対の長手側壁２のうちいずれか一方の中央上部には、開閉自在の窓部２０（図４、５参照）を開口するためのミシン目１０が形成されている。窓部２０は、電気機器の流通過程において各仕向地毎に必要な付属品（例えば、各仕向地毎に仕様の異なる電源コード等）を補充するために、ミシン目１０によって囲まれた扉部２１を外方に展開することによって開口される（図４参照）。また、１対の短手側壁３の中央上部には、作業者が梱包箱１を持ち上げる際に手をかけるための手かけ穴を形成するための切り込み２２が形成されている。
【００１５】
図２は、ミシン目１０の形態を示している。ミシン目１０は、長手側壁２の上端縁に対して平行に形成された底辺１１と、この底辺１１の両端部から長手側壁２の上端縁に亘って形成された直交辺１２と、底辺１１と直交辺１２との交差部近傍に形成されたコーナー部１３と、底辺１１の中央部に形成された半円部１４等を有している。底辺１１は、長手側壁２の上端縁から所定の距離（上記付属品の挿脱に必要とされる窓部２０の大きさに対応する距離）を隔てて直線状に形成されている。また、底辺１１は、その中央部に形成された半円部１４において２つに分離されている。直交辺１２は、２つに分離された底辺１１の互いに対向しない端部から上方に、底辺１１に直交するように直線状に形成されている。コーナー部１３は底辺１１及び直交辺１２と接するように円弧状に形成されている。半円部１４は、底辺１１の中央部において、上方に迫り出すように半円状に形成されている。長手側壁２の上端縁及びミシン目１０（すなわち、底辺１１、直交辺１２、コーナー部１３、半円部１４）によって囲まれた部分が扉部２１を構成する。
【００１６】
底辺１１は、半円部１４の側の第１端部１１ａ及びコーナー部１３の側の第２端部１１ｂにおいて連続的に切断され、その中間部分１１ｄにおいて断続的に切断されている。例えば、中間部分１１ｄは、１２ｍｍの切断部と３ｍｍの非切断部とが交互に繰り返して形成されている。また、第１端部１１ａは、第２端部１１ｂよりも長い区間に亘って連続的に切断されている。
【００１７】
直交辺１２は、コーナー部１３の側の第３端部１２ｃにおいて連続的に切断され、長手側壁２の上端縁に亘る中間部分１２ｄにおいて上記と同様に断続的に切断されている。直交辺１２は、第３端部１２ｃにおいて第１端部１１ａ及び第２端部１１ｂよりも長い区間に亘って連続的に切断されている。また、直交辺１２は、第３端部１２ｃにおいて半円部１４の頂点以上の高さまで連続的に切断されている。
【００１８】
コーナー部１３は、底辺１１の第２端部１１ｂと直交辺１２の第３端部１２ｃを結ぶように連続的に切断されている。また、半円部１４は、その両側の底辺１１の第１端部１１ａを結ぶように連続的に切断されているが、その頂上近傍に数ｍｍ程度の非切断部１４ａが設けられている。
【００１９】
上述のごとく構成された梱包箱１において、窓部２０を開口して、電源コードを挿入する手順について、図３乃至図５を参照して説明する。まず、作業者は、図３において矢印Ｘで示すように、半円部１４の内側を梱包箱１の内方に押圧する。これにより、半円部１４の頂上近傍の非切断部１４ａが破断され、扉部２１より下側において長手側壁２が内方に押し込まれる。この状態から、作業者は、図４において矢印Ｙで示すように、半円部１４又は第１端部１１ａによって側壁２から分離されている扉部２１の下端縁を外方に引き上げることにより、底辺１１の中間部分１１ｄ及び直交辺１２の中間部分１２ｄの非切断部が順次破断され、扉部２１が開放されると共に、長手側壁２の中央上部に窓部２０が開口される。その後、作業者は、図５に示すように、窓部２０から電源コード３０等の必要な付属品を挿入し、扉部２１を閉じる。
【００２０】
以上のように、本実施形態の梱包箱１によれば、長手側壁２に窓部２０を開口するにあたってミシン目１０を半円部１４から底辺１１、コーナー部１３、直交辺１２へと順次破断していく際に、直線的に破断されない部分、すなわち破断方向が転換される部分（具体的には、半円部１４から底辺１１の第１端部１１ａに至る部分、及び底辺１１の第２端部１１ｂからコーナー部１３を経て直交辺１２の第３端部に至る部分）が連続的に切断されているので、作業者がミシン目１０に沿って力をかけやすくなる。これにより、段ボールの板厚を薄くする等して耐圧強度を下げることなく、側壁２を容易にミシン目１０に沿って破断して窓部２０を開口することができ、梱包箱１の外観品質の低下を抑制することが可能となる。また、底辺１１の中央部において上方に迫り出す半円部１４が形成されているので、この半円部１４の内側を梱包箱１の内方に押し込むと共に、その上部に位置する窓部２０の扉となる扉部２１の下端縁を外方に引き上げることにより、容易に窓部２０を開口でき、作業効率を高めることができる。また、一般に、電気機器を収容した状態の梱包箱は、電気機器の流通過程において、複数段に積み重ねた状態で保管されるため、最下段の梱包箱には、垂直方向に大きな荷重がかけられることとなり、梱包箱には、特に相応の垂直方向の耐圧強度が要求されている（例えば、４５０ｋｇ重の垂直荷重に耐え得ることが要求されている）。本考案では、半円部１４の頂上近傍には非切断部１４ａが設けられているので、作業者がミシン目１０を破断する前段階においては半円部１４が完全に切断されておらず、梱包箱１の垂直方向の耐圧強度を十分に確保することができる。また、直交辺１２における第３端部１２ｃは、底辺１１における第１端部１１ａ及び第２端部１１ｂよりも長い区間に亘って、かつ半円部１４の頂点よりも上方の高さまで連続的に切断されているので、直交辺１２の中間部分１２ｄの非切断部を破断する際、力を非切断部に集中してかけやすくなり、ミシン目１０に沿って、より一層容易に破断できるようになる。
【００２１】
なお、本考案は上記実施形態の構成に限られることなく、少なくともコーナー部１３、底辺１１における第２端部１１ｂ、及び直交辺１２における第３端部１２ｃが連続的に切断されていればよい。また、ミシン目１０の位置及び形状は、図１、２に示したものに限られない。
【図面の簡単な説明】
【００２２】
【図１】本考案の一実施形態による梱包箱の構成を示す斜視図。
【図２】同梱包箱の長手側壁に窓部を形成するためのミシン目の形態を示す斜視図。
【図３】同梱包箱の窓部を開口させるための手順を示す斜視図。
【図４】図３に続き、窓部を開口させるための手順を示す斜視図。
【図５】図４に続き、同梱包箱に電源コードを挿入する手順を示す斜視図。
【図６】従来の梱包箱の長手側壁に窓部を形成するためのミシン目の形態を示す斜視図。
【符号の説明】
【００２３】
１    梱包箱
２    長手側壁
１０    ミシン目
１１    底辺
１１ａ    第１端部
１１ｂ    第２端部
１２    直交辺
１２ｃ    第３端部
１３    コーナー部
１４    半円部
２０    窓部
【図１】
0003127312.tif 000003
【図２】
0003127312.tif 000004
【図３】
0003127312.tif 000005
【図４】
0003127312.tif 000006
【図５】
0003127312.tif 000007
【図６】
0003127312.tif 000008